【事件の表示】
　特願２０１５−５５９４９８「被験者からバイタルサイン情報を決定する装置及び方法」拒絶査定不服審判事件〔平成２６年　９月　４日国際公開、ＷＯ２０１４／１３１８５０、平成２８年　３月２２日国内公表、特表２０１６−５０８４０１〕について、次のとおり審決する。
【結　論】
　本件審判の請求は、成り立たない。
【理　由】
第１　手続の経緯
　本願は、２０１４年（平成２６年）２月２７日（パリ条約による優先権主張　２０１３年２月２８日　 米国、２０１３年２月２８日　 欧州特許庁）を国際出願日とする出願であって、平成２９年１２月２０日付けで拒絶理由が通知され、平成３０年３月２０日付けで意見書及び手続補正書が提出され、同年７月９日付けで拒絶査定されたところ、同年１１月７日に拒絶査定不服審判の請求がなされ、同時に手続補正がなされたものである。
第２　平成３０年１１月７日にされた手続補正についての補正の却下の決定
［補正の却下の決定の結論］
　平成３０年１１月７日にされた手続補正（以下「本件補正」という。）を却下する。
［理由］
１　本件補正について
（１）本件補正後の特許請求の範囲の記載
　本件補正により、特許請求の範囲の請求項１３の記載は、次のとおり補正された。（下線部は、補正箇所である。）
「被験者からバイタルサイン情報を決定する方法において、
　撮像野から放射を検出するステップと、
　前記撮像野の異なる領域から前記被験者のバイタルサイン情報を含む特性パラメータを決定するステップと、
　前記異なる領域から得られる前記特性パラメータのスペクトルエネルギー分布を決定するステップと、
　前記エネルギー分布に基づき前記撮像野の少なくとも１つの領域を選択するステップであって、前記個別の特性パラメータの
０及び１又は２ヘルツの間
、全体の周波数帯域のスペクトルエネルギーの所定のパーセンテージより大きい又は所定の周波数帯域のスペクトルエネルギーより大きい
　前記少なくとも１つの選択された領域から前記特性パラメータに基づき前記バイタルサイン情報を算出するステップとを有する、方法。」
（２）本件補正前の特許請求の範囲
　本件補正前の、平成３０年３月２０日にされた手続補正により補正された特許請求の範囲の請求項１３の記載は次のとおりである。
「被験者からバイタルサイン情報を決定する方法において、
　撮像野から放射を検出するステップと、
　前記撮像野の異なる領域から前記被験者のバイタルサイン情報を含む特性パラメータを決定するステップと、
　前記異なる領域から得られる前記特性パラメータのスペクトルエネルギー分布を決定するステップと、
　前記エネルギー分布に基づき前記撮像野の少なくとも１つの領域を選択するステップであって、前記個別の特性パラメータの所定の周波数帯域の前記スペクトルエネルギーが所定の閾値レベルを超える場合、前記少なくとも１つの領域が選択される、ステップと、
　前記少なくとも１つの選択された領域から前記特性パラメータに基づき前記バイタルサイン情報を算出するステップとを有する、方法。」
２　補正の適否
　本件補正は、本件補正前の請求項１３に記載された発明を特定するために必要な事項である「前記個別の特性パラメータの所定の周波数帯域のスペクトルエネルギーが所定の閾値レベルを超える場合」を、「前記個別の特性パラメータの０及び１又は２ヘルツの間のスペクトルエネルギーが、全体の周波数帯域のスペクトルエネルギーの所定のパーセンテージより大きい又は所定の周波数帯域のスペクトルエネルギーより大きい場合」である旨の限定を付加するものであって、補正前の請求項１３に記載された発明と補正後の請求項１３に記載される発明の産業上の利用分野及び解決しようとする課題が同一であるから、特許法１７条の２第５項２号の特許請求の範囲の減縮を目的とするものに該当する。
　そこで、本件補正後の請求項１３に記載される発明（以下「本件補正発明」という。）が同条第６項において準用する同法第１２６条第７項の規定に適合するか（特許出願の際独立して特許を受けることができるものであるか）について、以下、検討する。
（１）本件補正発明
　本件補正発明は、上記１（１）に記載したとおりのものである。
（２）引用文献の記載事項
ア　引用文献１に記載された事項
　原査定の拒絶の理由で引用された本願の優先日前に頒布された又は電気通信回線を通じて公衆に利用可能となった引用文献である、特表２０１２−５１９５２７号公報（以下「引用文献１」という。）には、図面とともに、次の記載がある。
（引１ａ）「【００４０】
  
図２に示される方法の実施形態において、
（引１ｂ）「【００４５】
　次に、各測定ゾーン２５に関して、測定ゾーン２５の画像点に対応する画素の時間変化する平均輝度を表す信号２８が生成される（ステップ２７）。シーケンス１９の各画像に対して、測定ゾーン２５に含まれると決定される画素の平均輝度が形成される。シーケンス１９の各画像が、時間における点を表すので、時間変化する（離散時間）信号２８がこうして得られる。
図２の図示された実施形態において、
【００４６】
　すると、測定ゾーン２５の画像点に対応する画素の時間変化する平均輝度における少なくとも変動を表す追加的な信号３０を生み出すよう、各第１の信号２８がその平均値に中心化される（ステップ２９）。変形例において、このステップ２９は、ステップ２０に代替的に含まれる訂正信号との相関分離も有する。異なる変形例において、このステップ２９は、フィルタリング動作、例えば信号の微分に対応するフィルタリング動作を有する。第１の信号のダイナミックレンジの１％のオーダーの変動を抽出する他の変形例も可能である。
【００４７】
　その後、
少なくとも注目する生体（一般に人間）に関する典型的な心拍値及び／又は呼吸数値を有することが知られる範囲において、信号３０のスペクトルの１つ又は複数の局所最大を決定するため、基本的な信号処理技術が用いられる
（引１ｃ）「【００６６】
　図４Ａ及び図４Ｂは、
システム１の機能を制御する
方法
は、画像セグメント化機能、又はアンビエントシステム及びビデオ表示システム８のうちの少なくとも１つを用いて知覚可能な出力をレンダリングする機能
【００６７】
　この方法はここでも、デジタルカメラ２に関する適切な設定を決定する初期化フェーズ４７で始まる。デジタル画像のシーケンスがキャプチャされる間、データ処理デバイス３は、デジタルカメラ２のフレームレート及び露出時間の少なくとも１つを変化させる。シーケンスの各画像の少なくとも一部の（空間的な）平均輝度が決定され、平均輝度における周期的変動の大きさが、この設定の各新しい値に対して決定される。少なくともスペクトルの範囲、特に低周波範囲内の大きさが最小であるような設定が、この方法における後続の使用のために選択される。画像の少なくとも一部の空間平均輝度を決定する代わりに、個別の画素の輝度変動が決定されることができる。
【００６８】
　初期化フェーズ４７の後、
時間における連続点で撮られる画像のシーケンス４８が得られる（ステップ４９）。
【００６９】
　次のステップ５０において、画像４８は、非周期的バックグラウンド信号を除去するため処理される。このために、画像４８の一部又は全部の時間変化する平均輝度に対応する訂正信号が形成される。図示される実施形態において、画像４８の画素データはその後、訂正信号から相関分離させられる。例えばカメラの運動を補償するため、追加的な画像処理がこのステップ５０で行われることができる。
【００７０】
　図３の方法のように、
各々の画像４８に対してグリッドが置かれる（ステップ５１）
このグリッドは、複数の測定ゾーン又は電位測定ゾーンへと各画像を分割する。各測定ゾーンは、複数の画像点、即ち複数の画素位置を含む。
【００７１】
　その後、
すべての測定ゾーンが選択される（ステップ５２）。各測定ゾーンに関して、画像点に対応する画像４８における画素の輝度値の時間変化する空間平均に対応する個別の信号５３ａ〜ｎが、確立され
【００７２】
　
各第１の信号５３ａ〜ｎは、関連付けられる測定ゾーンの画像点に対応する画素の時間変化する平均輝度における少なくとも変動を表す追加的な信号５５ａ〜ｎを得る
（ステップ５４）。
【００７３】
　
信号５５ａ〜ｎのスペクトルが特定の範囲内で局所最大を持つ周波数が、その後決定される（ステップ５６）
周波数に基づき画像４８をセグメント化するため、その後互いに比較される（ステップ５７）
【００７４】
　結果は、関連付けられる周波数値及び位置情報を持つ画像セグメントのテーブル５８である。
【００７５】
　間隔を置いて配置されるセグメントが、実質的に同じ周波数値に関連付けられることが起こりうる。その場合、その
セグメントにおける測定ゾーンに関連付けられる追加的な信号５５ａ〜ｎの少なくとも１つの位相が決定される（ステップ５９）
共通の周波数において局所最大を伴うスペクトルを持つ追加的な信号５５ａ〜ｎに関連付けられる測定ゾーンが、位相に基づきクラスター化される（ステップ６０）
【００７６】
　効率さのため、測定ゾーンに関して得られる信号が共通の周波数において個別の局所最大を伴うスペクトルを持つ場合にのみ、測定ゾーンの信号の少なくとも特定の周波数要素が、追加的な測定ゾーンの信号の同じ周波数要素と同相にあるかどうかの決定が実行される。別の実施形態において、しかしながら、画像４８により覆われる全体の領域の位相マップが製作される。」
（引１ｄ）「【００７９】
　第２の
用途は、
【００８０】
　
コントローラ９及び
照明ユニット１０〜１２は、
ステップ６６
領域６３、６４に存在すると決定された個人の心拍数及び／又は呼吸数に基づき、出力が適合される
イ　引用文献１に記載された発明
（ア）上記（引１ａ）及び（引１ｂ）より、「図２の図示された実施形態において」は、「少なくとも注目する生体（一般に人間）に関する典型的な心拍値及び／又は呼吸数値を有することが知られる範囲において、信号３０のスペクトルの１つ又は複数の局所最大を決定するため、基本的な信号処理技術が用いられる」ものであり、この「信号処理技術」は、（引１ｃ）及び（引１ｄ）に記載された「信号５５ａ〜ｎのスペクトルが特定の範囲内で局所最大を持つ周波数」において用いられることは明らかであるから、「周波数に基づき画像４８をセグメント化するため、その後互いに比較されるステップ５７」は、「少なくとも注目する生体（一般に人間）に関する典型的な心拍値及び／又は呼吸数値を有することが知られる範囲において」、「周波数に基づき画像４８をセグメント化するため、その後互いに比較されるステップ５７」を有していると認められる。
（イ）上記（引１ｃ）には、「画像のシーケンス４８」、「画像４８」と記載されているが、これらが同じものであることは明らかであるから、「画像４８」と用語を統一した。
（ウ）以上（ア）及び（イ）を踏まえると、上記ア（引１ａ）〜（引１ｄ）から、引用文献１には、次の発明（以下「引用発明」という。）が記載されていると認められる。
「　画像セグメント化機能、又はアンビエントシステム及びビデオ表示システム８のうちの少なくとも１つを用いて知覚可能な出力をレンダリングするシステム１の機能を制御する方法であって、
　時間における連続点で撮られる画像４８を得るステップ４９と、
　各々の画像４８に対して、複数の測定ゾーン又は電位測定ゾーンへと各画像を分割するグリッドを置くステップ５１と、
　すべての測定ゾーンを選択し、各測定ゾーンに関して、画像点に対応する画像４８における画素の輝度値の時間変化する空間平均に対応する個別の信号５３ａ〜ｎを、確立するステップ５２と、
　各第１の信号５３ａ〜ｎから、関連付けられる測定ゾーンの画像点に対応する画素の時間変化する平均輝度における少なくとも変動を表す追加的な信号５５ａ〜ｎを得るステップ５４と、
　信号５５ａ〜ｎのスペクトルが特定の範囲内で局所最大を持つ周波数が決定されるステップ５６と、
　少なくとも注目する生体（一般に人間）に関する典型的な心拍値及び／又は呼吸数値を有することが知られる範囲において、周波数に基づき画像４８をセグメント化するため、その後互いに比較されるステップ５７と、
　セグメントにおける測定ゾーンに関連付けられる追加的な信号５５ａ〜ｎの少なくとも１つの位相が決定されるステップ５９と、
　共通の周波数において局所最大を伴うスペクトルを持つ追加的な信号５５ａ〜ｎに関連付けられる測定ゾーンが、位相に基づきクラスター化されるステップ６０と、
　コントローラ９及び照明ユニット１０〜１２は、領域６３、６４に存在すると決定された個人の心拍数及び／又は呼吸数に基づき、出力が適合するステップ６６とを有する
方法。」
（３）引用発明との対比
ア　本件補正発明と引用発明とを対比する。
（ア）引用発明の「領域６３、６４に存在すると決定された個人」及び「心拍数及び／又は呼吸数」は、本件補正発明の「被験者」及び「バイタルサイン情報」に相当する。引用発明の「システム１の機能を制御する方法」は、「コントローラ９及び照明ユニット１０〜１２は、領域６３、６４に存在すると決定された個人の心拍数及び／又は呼吸数に基づき、出力が適合するステップ６６」を有しており、「出力」の「適合」が「領域６３、６４に存在すると決定された個人の心拍数及び／又は呼吸数に基づき」行われることから、「ステップ６６」においては、「領域６３、６４に存在すると決定された個人の心拍数及び／又は呼吸数」が決定されていることは明らかである。すると、引用発明の「システム１の機能を制御する方法」は、本件補正発明の「被験者からバイタルサイン情報を決定する方法」に相当する。
（イ）引用発明の「画像４８」は、本件補正発明の「撮像野から」「検出」される「放射」に相当するから、引用発明の「時間における連続点で撮られる画像４８を得るステップ４９」は、本件補正発明の「撮像野から放射を検出するステップ」に相当する。
（ウ）本件補正発明の「特性パラメータ」に関し、本願明細書の発明の詳細な説明の段落【００２０】によれば、「・・・検出された画像データのパターン検出に基づき、特性パラメータとして交流信号を決定するよう構成される。・・・」と記載されていることから、「特性パラメータ」は、「検出された画像データのパターン検出に基づき」決定された「交流信号」である。
　一方、引用発明は、「各々の画像４８に対して、複数の測定ゾーン又は電位測定ゾーンへと各画像を分割するグリッドを置くステップ５１と」、「すべての測定ゾーンを選択し、各測定ゾーンに関して、画像点に対応する画像４８における画素の輝度値の時間変化する空間平均に対応する個別の信号５３ａ〜ｎを、確立するステップ５２と」を有しており、引用発明の「信号５３ａ〜ｎ」は、「画像点に対応する画像４８における画素の輝度値の時間変化する空間平均に対応する」信号である。
　してみれば、引用発明の「信号５３ａ〜ｎ」は、本件補正発明の「特性パラメータ」に相当する。
　また、引用発明は「各第１の信号５３ａ〜ｎから、関連付けられる測定ゾーンの画像点に対応する画素の時間変化する平均輝度における少なくとも変動を表す追加的な信号５５ａ〜ｎを得」、「信号５５ａ〜ｎのスペクトルが特定の範囲内で局所最大を持つ周波数が決定され」、「少なくとも注目する生体（一般に人間）に関する典型的な心拍値及び／又は呼吸数値を有することが知られる範囲において、周波数に基づき画像４８をセグメント化するため、その後互いに比較される」から、引用発明の「信号５３ａ〜ｎ」は、「心拍値及び／又は呼吸数値」に関する情報を含んでいるといえる。
　すると、引用発明の「各々の画像４８に対して、複数の測定ゾーン又は電位測定ゾーンへと各画像を分割するグリッドを置くステップ５１と、すべての測定ゾーンを選択し、各測定ゾーンに関して、画像点に対応する画像４８における画素の輝度値の時間変化する空間平均に対応する個別の信号５３ａ〜ｎを、確立するステップ５２と」は、本件補正発明の「前記撮像野の異なる領域から前記被験者のバイタルサイン情報を含む特性パラメータを決定するステップ」に相当する。
（エ）引用発明の「信号５５ａ〜ｎのスペクトル」は、「各々の画像４８に対して、複数の測定ゾーン又は電位測定ゾーンへと各画像を分割」し、分割された「各測定ゾーンに関して、画像点に対応する画像４８における画素の輝度値の時間変化する空間平均に対応する個別の信号５３ａ〜ｎ」から得られたものである。そして、引用発明の「ステップ５６」において、「信号５５ａ〜ｎのスペクトルが特定の範囲内で局所最大を持つ周波数」を「決定」している。また、このステップの「信号５５ａ〜ｎのスペクトル」と、本件補正発明の「前記特性パラメータのスペクトルエネルギー分布」とは、「前記特性パラメータのスペクトル」である点で共通する。
　すると、引用発明の「各第１の信号５３ａ〜ｎから、関連付けられる測定ゾーンの画像点に対応する画素の時間変化する平均輝度における少なくとも変動を表す追加的な信号５５ａ〜ｎを得るステップ５４と、信号５５ａ〜ｎのスペクトルが特定の範囲内で局所最大を持つ周波数が決定されるステップ５６と」、本件補正発明の「前記異なる領域から得られる前記特性パラメータのスペクトルエネルギー分布を決定するステップ」とは、「前記異なる領域から得られる前記特性パラメータのスペクトルを決定するステップ」である点で共通する。
（オ）引用発明は、「ステップ５６」で「信号５５ａ〜ｎのスペクトルが特定の範囲内で局所最大を持つ周波数」を「決定」し、「ステップ５７」で「周波数に基づき画像４８をセグメント化するため、その後互いに比較」しており、「周波数に基づき画像４８をセグメント化するため」には、「信号５５ａ〜ｎのスペクトルが特定の範囲内で局所最大を持つ周波数」が「少なくとも注目する生体（一般に人間）に関する典型的な心拍値及び／又は呼吸数値を有することが知られる範囲に」入っている「測定ゾーン」を選択する必要があるから、引用発明の「周波数に基づき画像４８をセグメント化するため、その後互いに比較されるステップ５７」と、本件補正発明の「前記エネルギー分布に基づき前記撮像野の少なくとも１つの領域を選択するステップであって、前記個別の特性パラメータの０及び１又は２ヘルツの間の前記スペクトルエネルギーが、全体の周波数帯域のスペクトルエネルギーの所定のパーセンテージより大きい又は所定の周波数帯域のスペクトルエネルギーより大きい場合、前記少なくとも１つの領域が選択される、ステップ」とは、「前記スペクトルに基づき前記撮像野の前記領域の少なくとも１つを選択するステップ」である点で共通する。
（カ）上記（ア）で検討したとおり、引用発明は、「ステップ６６」においては、「領域６３、６４に存在すると決定された個人の心拍数及び／又は呼吸数」を決定しており、該決定は、「各測定ゾーンに関して、画像点に対応する画像４８における画素の輝度値の時間変化する空間平均に対応する個別の信号５３ａ〜ｎ」より算出されているものであるといえるから、引用発明と本件補正発明とは、「前記少なくとも１つの選択された領域から前記特性パラメータに基づき前記バイタルサイン情報を算出する算出ユニットとを有する」点で一致する。
イ　以上のことから、本件補正発明と引用発明との一致点及び相違点は、次のとおりである。
【一致点】
「被験者からバイタルサイン情報を決定する方法において、
　撮像野から放射を検出するステップと、
　前記撮像野の異なる領域から前記被験者のバイタルサイン情報を含む特性パラメータを決定するステップと、
　前記異なる領域から得られる前記特性パラメータのスペクトルを決定するステップと、
　前記スペクトルに基づき前記撮像野の少なくとも１つの領域を選択するステップと、
　前記少なくとも１つの選択された領域から前記特性パラメータに基づき前記バイタルサイン情報を算出するステップとを有する、方法。」
【相違点】前記異なる領域から得られる前記特性パラメータのスペクトルを決定するステップと、前記撮像野の前記少なくとも１つの領域の選択するステップが、本件補正発明は、「前記異なる領域から得られる前記特性パラメータのスペクトルを決定するステップ」において決定される「前記特性パラメータのスペクトル」が、「前記特性パラメータのスペクトルエネルギー分布」であり、「前記撮像野の前記少なくとも１つの領域の選択するステップ」が、「前記特性パラメータのスペクトルエネルギー分布」に基づくものであって、「前記個別の特性パラメータの０及び１又は２ヘルツの間のスペクトルエネルギーが、全体の周波数帯域のスペクトルエネルギーの所定のパーセンテージより大きい又は所定の周波数帯域のスペクトルエネルギーより大きい場合」に選択されるのに対し、引用発明は、「各測定ゾーンに関して、画像点に対応する画像４８における画素の輝度値の時間変化する空間平均に対応する個別の信号５３ａ〜ｎ」から得られる信号が、「信号５５ａ〜ｎのスペクトル」であって、このスペクトルが、エネルギー分布であるとの特定はなく、また、「周波数に基づき画像４８をセグメント化するため、その後互いに比較されるステップ５７」において、どのような「画素４８」が、「比較」の結果セグメント化されるのか特定されていない点。
（４）判断
ア　上記相違点について検討する。
　スペクトルは、一般に周波数毎の振幅又はエネルギーであって、画像解析等をスペクトルエネルギー分布で行うことは常套手段にすぎない。また、引用発明は「ステップ５６」で「信号５５ａ〜ｎのスペクトルが特定の範囲内で局所最大を持つ周波数が決定され」、「ステップ５７」で「少なくとも注目する生体（一般に人間）に関する典型的な心拍値及び／又は呼吸数値を有することが知られる範囲において、周波数に基づき画像４８をセグメント化するため、その後互いに比較され」ていることから、このステップにおける比較は、「生体（一般に人間）に関する典型的な心拍値及び／又は呼吸数値を有することが知られる範囲」の「周波数」において比較されるものであって、該「周波数」が、「０及び１又は２ヘルツの間の」であることは明らかである。そして、ある周波数において「局所最大を持つ」ということは、周波数帯域全体から見て、その周波数帯域だけが大きいということであるから、上記相違点は、局所最大を持つ周波数を算出してからその周波数が特定の範囲にあるかを判断するか、特定の範囲の周波数が局所最大となるかを判断するかの違いであって、判断を行うに際に、局所最大となる周波数が特定の範囲内にあるか、特定の範囲内に局所最大となる周波数が存在するかの、どちらの方法を選択するかは、当業者において適宜選択されるべき事項であるといえる。
　すると、引用発明の「各測定ゾーンに関して、画像点に対応する画像４８における画素の輝度値の時間変化する空間平均に対応する個別の信号５３ａ〜ｎ」から得られる信号が、「信号５５ａ〜ｎのスペクトル」であって、「周波数に基づき画像４８をセグメント化する」ための領域の選択を、「信号５５ａ〜ｎのスペクトルが特定の範囲内で局所最大を持つ周波数」を「決定」し、その周波数が「少なくとも注目する生体（一般に人間）に関する典型的な心拍値及び／又は呼吸数値を有することが知られる範囲」あるか「比較」する方法により行われているものを、「各測定ゾーンに関して、画像点に対応する画像４８における画素の輝度値の時間変化する空間平均に対応する個別の信号５３ａ〜ｎ」から得られる信号を、「信号５５ａ〜ｎ」のスペクトルエネルギー分布とし、「少なくとも注目する生体（一般に人間）に関する典型的な心拍値及び／又は呼吸数値を有することが知られる範囲」の周波数において、「信号５５ａ〜ｎ」のスペクトルエネルギー分布が「特定の範囲内で局所最大を持つ」かにより判断する方法に変更することは、当業者が容易に想到できたことであるといえるから、本件補正発明は、引用発明より当業者が容易に想到できたことであるといえる。
イ　本件補正発明の効果について
　本件補正発明の奏する作用効果は、引用文献１に記載された技術の奏する作用効果から予測される範囲内のものにすぎず、格別顕著なものということはできない。
　
ウ　したがって、本件補正発明は、引用発明に記載された技術に基づいて、当業者が容易に発明をすることができたものであり、特許法２９条２項の規定により、特許出願の際独立して特許を受けることができないものである。
３　本件補正についてのむすび
　よって、本件補正は、特許法１７条の２第６項において準用する同法１２６条７項の規定に違反するので、同法１５９条１項の規定において読み替えて準用する同法５３条１項の規定により却下すべきものである。
　よって、上記補正の却下の決定の結論のとおり決定する。
第３　本願発明について
１　本願発明
　平成３０年１１月７日にされた手続補正は、上記のとおり却下されたので、本願の請求項に係る発明は、平成３０年３月２０日にされた手続補正により補正された特許請求の範囲の請求項１ないし１３に記載された事項により特定されるものであるところ、その請求項１３に係る発明（以下「本願発明」という。）は、その請求項１３に記載された事項により特定される、前記第２［理由］１（２）に記載のとおりのものである。
２　原査定の拒絶の理由
　原査定の拒絶の理由は、この出願の請求項１〜１３に係る発明は、本願の優先権主張の日前に頒布された又は電気通信回線を通じて公衆に利用可能となった下記の引用文献１ないし４に記載された発明に基づいて、その出願前にその発明の属する技術の分野における通常の知識を有する者が容易に発明をすることができたものであるから、特許法２９条２項の規定により特許を受けることができない、というものである。
　そして、請求項１３に係る発明については、引用文献１に記載された発明に基づいて、当業者が容易に想到できたものであると指摘したものである。
引用文献１：特表２０１２−５１９５２７号公報
引用文献２〜４：　（略）
３　引用文献
　原査定の拒絶の理由で引用された引用文献１及びその記載事項は、前記第２の［理由］２（２）に記載したとおりである。
４　対比・判断
　本願発明は、前記第２の［理由］２で検討した本件補正発明から、「前記個別の特性パラメータの所定の周波数帯域のスペクトルエネルギーが所定の閾値レベルを超える場合」が、「前記個別の特性パラメータの０及び１又は２ヘルツの間のスペクトルエネルギーが、全体の周波数帯域のスペクトルエネルギーの所定のパーセンテージより大きい又は所定の周波数帯域のスペクトルエネルギーより大きい場合」である旨の限定事項を削除したものである。
　そうすると、本願発明の発明特定事項を全て含み、さらに他の事項を付加したものに相当する本件補正発明が、前記第２の［理由］２（３）、（４）に記載したとおり、引用発明に基づいて、当業者が容易に発明をすることができたものであるから、本願発明も、引用発明に記載された技術に基づいて、当業者が容易に発明をすることができたものである。
第４　むすび
　以上のとおり、本願発明は、特許法２９条２項の規定により特許を受けることができないから、他の請求項に係る発明について検討するまでもなく、本願は拒絶されるべきものである。
　よって、結論のとおり審決する。